(57)【要約】      （修正有）【課題】竹屑を扱い易い燃料にするために、竹をリング状に水平裁断する円盤状のカッターと、垂直裁断する放射状カッターを備えることにより、竹をサイコロ状にチップ化する加工機を提供する。【解決手段】竹の幹をリング状に水平に裁断する円盤状のカッター４で約１ｃｍの幅にカットし、竹をリング状にする。次に半径方向に垂直に裁断する放射状のカッター５で上からカットすることによりサイコロ状の竹チップ３が出来上がる。なお、この加工に必要な電力は、太陽光発電により得ることにしても良い。【選択図】図１
0003179081.tif 000002
【実用新案登録請求の範囲】
【請求項１】
従来、竹は増殖が激しく毎年定期的に剪定が必要で、その竹屑の廃棄処分は、大半が焼却処分で、一部、粉末にして，木屑、家畜糞尿とまぜて木質ペレットとして家畜の飼料、一部ストーブの燃料として使われてきましたが、粉末化、ペレット化に手間暇と費用が嵩み、あまり喜ばれませんでした。
−上記課題解決のため、竹を粉末に加工するのでなく、まず竹を約１ｃｍの長さにカットして，出来た輪を垂直にカットして約１ｃｍ角のサイコロ状のペレットにすることにより、その加工費を節減でき、取扱いの容易なストーブの燃料が出来上がります。
−竹の切削加工に必要な電力は太陽光発電装置を使うことにより、化石燃料の節約となります。
−竹の剪定屑の利用に限定せず、未利用地に積極的に竹を植栽することにより、規模を拡大でき、未利用地の緑化となり、地球温暖化に繋がります。
【考案の詳細な説明】
【技術分野】
【０００１】従来のストーブに使われてきたバイオマス燃料は竹、木材、家畜糞等を混ぜた木質ペレットが主流でしたが、ペレットにする加工費が嵩み、コスト高でした。
今回は、竹単体に絞ることにより、この課題解決に成功しました。
【背景技術】
【０００２】従来のバイオマス燃料のペレット化には，使用原料全てを粉末にする必要があり、又ペレット化するには接着剤が必要で、その成型にはコストが掛かりました。
【考案の概要】
【考案が解決しようとする課題】
【０００３】竹屑の簡単な加工で、コスト安で化石燃料を使わずペレット化することにより、環境に優しいストーブにしたい。
【課題を解決するための手段】
【０００４】−竹は成長が激しく、そのため周囲の樹木に悪影響を及ぼさないように毎年秋には剪定する必要があります。今回はこの剪定時の竹屑を活用します。
又、扱いやすい燃料とするため，約１ｃｍ角のサイコロ状にペレット化します。
この加工に必要な電力は、太陽光発電機を使用します。
−竹のペレットへの加工装置：［図面］参照いただきたく。
まず、竹を水平に裁断するカッター４で約１ｃｍの幅でカットし、竹をリング状にして、次に垂直に裁断する装置５で上からカットすることにより、竹ペッレット３が出来上がります。
【考案の効果】
【０００５】ー毎年剪定時に出てくる竹屑は、従来は焼却処分していましたが、それをサイコロ状に裁断するだけで、暖房機の燃料として使用しますので、コスト負担が少なくて済み、従来使ってきた化石燃料の消費量を減少できます。
−上記チップを更に増産したいときには、積極的に、空き地に竹を植えることによりチップの増産が経済的にも可能で、地球の環境緑化に繋がります。
−上記暖房機に必要な電気は太陽光発電装置を使うことにより、化石燃料を使った電力を全く使わなくてよく、環境に優しい装置となります。
【考案を実施するための形態】
【０００６】−従来竹と言えば、繁茂、増殖が激しく、その管理が大変で、既存の松、杉等の里山の樹木を枯らしてしまうこともあり、嫌う人も多くいました。
今回は、竹の裁断屑のうち、チップに加工できる十分な太さの原木の部分だけをチップ化します。その他の細い枝や葉っぱは従来通りの方法で処分します。
今回のチップが暖房ストーブの燃料などの用途として高い評価が得られれば、積極的に未利用地、空地に竹を植えることにより、一層の増産が可能です。
【実施例】
【０００７】従来、竹の剪定屑は、大半は焼却処分され、一部、粉末化して家畜の飼料の一成分として使われてきました。
【図面の簡単な説明】
【０００８】
【図１】全体図。十分成長した竹を左から，斜めに置き、水平カッター４でカットし、次に垂直カッター５でカットします。
【図２】約１ｃｍの幅に水平にカットした竹の輪２、それを垂直にカットしてペレット状３にしました。
【図３】竹の輪を上から垂直上にカットします５。竹の太さに関係なく対応できます。
【符号の説明】
【０００９】１竹の原木
２竹を約１ｃｍに水平に裁断した竹の輪
３上記輪を垂直に裁断し出来たペレット
４水平に裁断する円盤状カッター
５竹の輪２を垂直に切れ目を入れペレット化する放射線状カッター
【図１】
0003179081.tif 000003
【図２】
0003179081.tif 000004
【図３】
0003179081.tif 000005
【手続補正書】
【提出日】平成24年4月25日(2012.4.25)
【手続補正１】
【補正対象書類名】実用新案登録請求の範囲
【補正対象項目名】全文
【補正方法】変更
【補正の内容】
【実用新案登録請求の範囲】
【請求項１】
竹の幹をリング状に水平裁断する円盤状カッターと前記リング状の竹を半径方向に垂直裁断する放射状カッターを備える、竹をサイコロ状にチップ化する加工機。
【手続補正２】
【補正対象書類名】明細書
【補正対象項目名】全文
【補正方法】変更
【補正の内容】
【考案の詳細な説明】
【技術分野】
【０００１】従来のストーブに使われてきたバイオマス燃料は竹、木材家畜糞用等を混た木質ペレットが主流でしたが、ペレットにする加工費が嵩み、コスト高でした。今回は竹単体に絞ることにより、この課題解決に成功しました。
【考案の概要】
【考案が解決しようとする課題】
【０００３】竹屑の加工で、コスト安で化石燃料を使わずチップ化することにより、環境に優しいストーブにしたい。
【課題を解決するための手段】
【０００４】―竹は成長が激しく、そのため周囲の樹木に悪影響を及ぼさないように毎年秋には剪定す  る必要があります。今回はこの剪定時の竹屑を有効に活用します。  又扱いやすい燃料とするため、約１ｃｍ角のサイコロ状にチップ化します。  この加工に必要な電力は太陽光発電機を使用します。―竹のチップ化加工装置：［図面］参照いただきたく。  まず、竹を水平に裁断するカッター４で約１ｃｍの幅でカットし、竹をリング状にして  、次に垂直に裁断する装置５で上からカットすることにより竹チップ３が出来上がりま  す。
【考案の効果】
【０００５】―毎年剪定時に出てくる竹屑は，これまで殆ど焼却処分していましたが、幹の部分につい  てはサイコロ状に裁断するだけで、暖房機その他の燃料として使用できるので、それだ  け、コスト負担が少なくて済み、これまで使ってきた化石燃料の消費量を減らせます。―上記チップを更に増産したいときには、積極的に空地に竹を植えることによりチップの  増産が経済的にも可能で、地球環境緑化に繋がります。―上記の加工機に必要な電気は太陽光発電装置を使うことにより、化石燃料からの電力を  全く使わない、環境に優しい装置となります。
【考案を実施するための形態】
【０００６】―従来竹と言えば、繁茂、増殖が激しくその管理が大変で、既存の松、杉等の里山の樹木  枯らしてしまうこともあり、嫌う人も多くいました。  今回は、竹の裁断屑のうち、チップに加工できる十分な太さの幹の部分だけをチップ化  します。その他の細い枝や葉っぱは従来通りの方法で処理します。  今回のチップが暖房ストーブ等の燃料として高い評価が得られれば、積極的に７未利用  地、空き地に竹を植えることにより、一層の増産が可能です。
【実施例】
【０００７】従来、竹の剪定屑は大半は焼却処分され、一部粉末化して家畜の飼料の一成分として使われてきました。
【図面の簡単な説明】
【０００８】
【図１】全体図。十分成長した竹を左から斜めに置き、水平カッター４でカットし、次に垂直カッター５でカットします。
【図２】約１ｃｍの幅に水平にカットした竹の輪２、それを垂直にカットしてチップ状３にしました。
【図３】竹の輪を上から垂直にカットします。竹の太さに関係なく対応できます。
【符号の説明】
【０００９】１竹の幹２竹を約１ｃｍに水平に裁断した竹の輪３上記輪を垂直に裁断してできたチップ４水平に裁断する円盤状カッター５竹の輪２を垂直に切れ目を入れチップ化する放射状カッター